(57)【要約】【課題】  ガン玉のような小さなサイズの釣り用錘であっても、釣り糸の所望位置に簡易迅速に取り付けることができ、かつ、小型で携帯性に優れた釣り用錘の取り付け具を提供することを課題とする。【解決手段】各々が釣り糸と当接する当接面６ａ、６ｂを備えた左右一対の保持部２ａ、２ｂと、左右一対の前記保持部２ａ、２ｂ間に保持される釣り糸を挟んで前後に対向し、近接位置と離隔位置との間で相対的に移動可能な前後一対の押圧部３ａ、３ｂと、釣り糸を一時固定する一時固定部とを備えている、釣り用錘取り付け具１を提供することによって上記課題を解決する。【選択図】図１
2020188730.tif 000002
【特許請求の範囲】
【請求項１】
各々が釣り糸と当接する当接面を備えた左右一対の保持部と、左右一対の前記保持部間に保持される釣り糸を挟んで前後に対向し、近接位置と離隔位置との間で相対的に移動可能な前後一対の押圧部と、釣り糸を一時固定する一時固定部とを備えている、釣り用錘取り付け具。
【請求項２】
前後一対の前記押圧部の前記離隔位置における前後間の距離Ｄが、左右一対の前記保持部の左右間の距離Ｗと、Ｄ≧Ｗの関係にある請求項１記載の釣り用錘取り付け具。
【請求項３】
前記一時固定部が、対向する２つの部材間に釣り糸を挟持して釣り糸を一時固定するものである請求項１又は２記載の釣り用錘取り付け具。
【請求項４】
棒状又は板状の１つの部材を長手方向略中央で折り曲げて両端部を対向させ、その両端部の対向する部分を前後一対の前記押圧部とするか、棒状又は板状の２つの部材を長手方向一端部で結合し、他方端部を対向させ、前記他方端部の対向する部分を前後一対の前記押圧部とするか、又は、棒状又は板状の２つの部材を回転自在に連結し、少なくともそれら２つの部材の一方の先端部同士を近接又は離隔自在に対向させ、その対向する先端部の対向する部分を前後一対の前記押圧部とするとともに、さらに、その対向する前記両端部又は前記他方端部又は前記先端部のいずれか一方に左右一対の前記保持部が前記当接面を上方に向けて設けられているか又は取り付けられている請求項１〜３のいずれかに記載の釣り用錘取り付け具。
【請求項５】
前記当接面が、前記当接面上に保持される釣り糸が前後方向に摺動することができる長さを有する当接面であり、当接面の前方端及び／又は後方端に釣り糸の摺動を妨げる摺動阻止部を有している請求項４記載の釣り用錘取り付け具。
【請求項６】
前記棒状又は板状部材に前記一時固定部が設けられている請求項４又は５記載の釣り用錘取り付け具。
【請求項７】
左右一対の前記保持部と、前記保持部を対向する前記両端部又は前記他方端部又は前記先端部のいずれか一方に前記当接面を上に向けて着脱自在に取り付ける取り付け部とを備える、請求項４〜６のいずれかに記載の釣り用錘取り付け具に使用される取付用保持部。
【請求項８】
左右一対の前記保持部が、前後一対の前記押圧部とは別の部材に設けられており、前後一対の前記押圧部が、左右一対の前記保持部とは独立して近接位置と離隔位置の間で相対的に移動可能に支持されている請求項１〜３のいずれかに記載の釣り用錘取り付け具。
【請求項９】
棒状又は板状の３つの部材を長手方向一端部で結合し、他方端部を対向させ、外側に位置する２つの部材の対向する部分を前後一対の前記押圧部とし、中央に位置する１つの部材の前記押圧部で挟まれた位置に、左右一対の前記保持部が前記当接面を上方に向けて設けられているか、棒状又は板状の２つの部材を、それら２つの部材とは独立した回転軸の回りに回転自在に取り付け、少なくともそれら２つの部材の一方端同士が近接又は離隔するように前記回転軸によって支承し、それら互いに近接又は離隔する一方端の対向する部分を前後一対の前記押圧部とするとともに、前記回転軸に、前記当接面を備えた左右一対の前記保持部が前記当接面を上方に向けて取り付けられている請求項８記載の釣り用錘取り付け具。
【請求項１０】
前記保持部が、釣り糸を前記当接面へと導く導入路を備えており、前記一時固定部が前記導入路に形成されている狭隘部である請求項８又は９記載の釣り用錘取り付け具。
【発明の詳細な説明】
【技術分野】
【０００１】
本発明は、釣り糸に錘を取り付けるために使用する釣り用錘取り付け具に関する。
【背景技術】
【０００２】
いわゆるガン玉と呼ばれる球状の小さな錘は、仕掛け部分を水中の所望の深さに、所望の速度で沈めるために不可欠である。例えば、ウキを使用するフカセ釣りの場合、近くや遠くにウキを投げ込む場所を変えつつ、ウキ下を浅くしたり、深くしたりすることで、魚の餌食するタナを探ることが通常行われているが、刻々と変化する潮位、風、波、流れによっては仕掛けの馴染みが悪くなり、狙った場所に的確に仕掛けを沈めることができなくなることがある。このような場合には、ハリス部分等にガン玉を取り付けて、エサを付けた仕掛けを所望の場所に沈めることが行われている。さらに、メジナ（グレ）や黒鯛（チヌ）釣りでは、様々な大きさのガン玉を駆使することで、仕掛け部分が沈んでいく速度及び深さを微調整することが通常行われている。
【０００３】
しかし、ガン玉と呼ばれる錘は、極めて小さく、これをパーツケースから取り出すに際しても細心の注意力を必要とし、さらには、ガン玉の略中央に設けられている溝の位置を探し出し、その中に釣り糸を入れて、その状態を保ったままガン玉を押し潰すとなると、非常に手間と時間が掛かり、失敗してガン玉を取り落して紛失したり、釣り糸を挟み込まずにガン玉を潰してしまったりすることも度々経験されるところである。釣り糸にガン玉を取り付けることの困難さは、ガン玉のサイズが６号、７号、８号と小さくなるほど大きくなり、ガン玉の取り付けは、慣れた釣り人にとっても最も苦労する作業の一つであるといわれている。
【０００４】
このような困難さに鑑み、従来から、ガン玉の取り付けを容易にする道具が種々提案されている。例えば、特許文献１には、支点を中心に弾力性のある圧縮板と型枠板を備えた錘固定器が提案されている。この錘固定器を使用してガン玉を取り付けるには、前記圧縮板と型枠板を指で押し広げて、ガン玉を両板がそれぞれ備えるＵ字状の溝間に装填し、ガン玉の溝内にハリスを挿入した後、両板を内側方向に指で押さえてガン玉を潰せば良い。
【０００５】
しかしながら、この錘固定器を用いる場合には、ガン玉を指先で掴み、圧縮板又は型枠板に設けられた溝内に正しい向き、すなわち、ガン玉の溝が外側を向くように装填しなければならず、特に小型のガン玉を装填するのは極めて面倒である。さらに、この錘固定器にガン玉を装填した後には、装填されたガン玉の溝に、張った状態のハリスを挿入しなければならず、依然として手間がかかるという不都合は避けられない。
【０００６】
この点、特許文献２に開示されている取り付け具は、溝形の錘ケースを備えており、予め錘が装填されているため、ガン玉などの錘を装填する手間が省けるという利点がある。しかしながら、当該取り付け具には、連結バーで連結されている専用の錘連結体が必要であり、汎用の錘を使用することができないという欠点がある。また、予め錘を装填しておく必要があるため、時々刻々と変化する海や川の状況に対応し、臨機応変に錘のサイズを変更することが困難である。
【０００７】
特許文献３には釣り用錘の固定用冶具が開示されており、当該固定用治具の冶具本体の上面には、釣り用錘を列状に載置可能な溝条と、該溝条に交差する方向で冶具本体の上面を横断するスリットが所定間隔で設けられ、さらに釣り用錘が該溝条に載置された際に、該錘を該溝条に引き離し可能に粘着・保持させる粘着層が設けられている。この釣り用錘の固定用冶具を用いれば、釣り用錘が溝条内に粘着・保持されて動いたりすることがないため、釣り糸を釣り用錘が有する割込み部に速やかに挿入し、さらにペンチなどの締め付け工具を用いて釣り用錘を適正に固定することが可能となる。
【０００８】
しかしながら、この釣り用錘の固定用冶具には、釣り用錘を予め冶具の所定の場所に、しかも釣り用錘に設けられた割込み口が上を向くようにセットしなければならないという面倒さがある。また、所定の大きさの釣り用錘の固定用冶具にセットできる釣り用錘の個数は限られており、使用する錘の数や種類が多くなることが予想される場合には、多数の固定用治具を用意しなければならず、装備が大掛かりになるという不都合がある。
【先行技術文献】
【特許文献】
【０００９】
【特許文献１】特開平１１−２８９９４０号公報
【特許文献２】特開２００２−１５０号公報
【特許文献３】特開２００４−３２９１１４号公報
【発明の概要】
【発明が解決しようとする課題】
【００１０】
本発明は、上述したような従来技術の問題点を解決すべく為されたものであり、ガン玉のような小さなサイズの釣り用錘であっても、釣り糸の所望位置に簡易迅速に取り付けることができ、かつ、小型で携帯性に優れた釣り用錘の取り付け具を提供することを課題とする。
【課題を解決するための手段】
【００１１】
上記課題を解決すべく、種々試行錯誤を重ねた結果、本発明者は、小さな錘の側を何らかの方法で一時固定して、錘に設けられている釣り糸挟持用の溝を外側に向け、そこにハリスなどの釣り糸を挿入するという従来の発想を全く転換し、ハリスなどの釣り糸の側を張力を掛けて一時保持し、その一時保持された釣り糸をガン玉などの錘に設けられている溝内に差し込んで、ガン玉を押し潰すようにすれば、ガン玉などの小さな錘を指でつまんだり、特殊な構造の取り付け具に装着する必要はなく、錘を収納したパーツケースの中に入れたままであっても、ハリス等の所望の位置に取り付けることができることを見出した。
【００１２】
すなわち、本発明は、各々が釣り糸と当接する当接面を備えた左右一対の保持部と、左右一対の前記保持部間に保持される釣り糸を挟んで前後に対向し、近接位置と離隔位置との間で相対的に移動可能な前後一対の押圧部と、釣り糸を一時固定する一時固定部とを備えている、釣り用錘取り付け具を提供することによって上記課題を解決するものである。
【００１３】
本発明に係る釣り用錘取り付け具を使用するには、まず、錘を取り付けるハリス等の釣り糸を、左右一対の前記保持部の当接面に当接させ、その状態で、前記保持部の両側に位置する釣り糸を前記一時固定部に一時固定することによって、若干の張力を掛けた状態で釣り糸を左右の前記保持部間に保持させる。次に、前記保持部間に保持された釣り糸部分を、取り付けるべき錘の溝内に挿入し、その状態で、前後一対の前記押圧部を近接位置へと移動させて、錘を押し潰せば良い。左右一対の保持部間に保持させる釣り糸部分を適宜選択することによって、ガン玉のような小さな錘でも、錘を直接指先でつまむことなく、釣り糸の所望の位置に取り付けることができる。なお、取り付け対象とする錘の溝が上向きになっていないときには、錘を指先で転がすか、錘がパーツケースなどに収容されている場合には、パーツケースに軽く振動を与えて溝を上向きにすれば良い。
【００１４】
本発明に係る釣り用錘取り付け具においては、前後一対の押圧部の離隔位置における前後間の距離Ｄは、左右一対の保持部の左右間の距離Ｗと同じか、距離Ｗよりも大きく、Ｄ≧Ｗの関係にあるのが好ましい。Ｄ≧Ｗの関係にあるときには、左右一対の保持部間に保持されている釣り糸を対象とする錘の溝内に位置させるときにも、前後一対の押圧部を離隔位置へと移動させておくことによって、押圧部が障害となることがないので、左右一対の前記保持部間に位置させることができる大きさの錘であれば、本発明に係る釣り用錘取り付け具を用いて釣り糸に取り付けることができる。なお、前後一対の押圧部のいずれか一方又は双方の対向面には、錘との接触、押圧をより確実なものとするために、滑り防止用の凹凸を設けても良い。
【００１５】
本発明に係る釣り用錘取り付け具は、その好適な一態様において、前記一時固定部が、対向する２つの部材間に釣り糸を挟持して釣り糸を一時固定するものである。一時固定部がこのようなものである場合には、左右一対の前記保持部の両側に延在する釣り糸部分を、対向する２つの部材間に挿入して２つの部材間に挟持させるだけで良いので、極めて簡単な操作で釣り糸を一時固定することができる。一時固定部は、前記保持部の両側に延在する釣り糸のそれぞれに対して１つずつ、合計２つ設けても良いし、前記保持部の両側に延在する釣り糸をまとめて１つの一時固定部で一時固定するものであっても良い。
【００１６】
なお、２つの部材間に釣り糸を挟持させて一時固定することによって釣り糸にクセがついたり、傷がついたりしないように、２つの部材の少なくとも一方若しくは双方には、例えば樹脂等で構成された比較的柔らかな保護部材を装着又は貼着するか、２つの部材の少なくとも一方若しくは双方を樹脂等の比較的柔らかな材料で構成するのが好ましい。
【００１７】
本発明に係る釣り用錘取り付け具は、棒状又は板状の１つの部材を長手方向略中央で折り曲げて両端部を対向させ、その両端部の対向する部分を前後一対の前記押圧部とするか、棒状又は板状の２つの部材を長手方向一端部で結合し、他方端部を対向させ、前記他方端部の対向する部分を前後一対の前記押圧部とするか、又は、棒状又は板状の２つの部材を回転自在に連結し、少なくともそれら２つの部材の一方の先端部同士を近接又は離隔自在に対向させ、その対向する先端部の対向する部分を前後一対の前記押圧部とするとともに、さらに、その対向する前記両端部又は前記他方端部又は前記先端部のいずれか一方に左右一対の前記保持部が前記当接面を上方に向けて設けられているか、取り付けられているのが好ましい。
【００１８】
上記の場合、前記棒状又は板状の１つ又は２つの部材として弾性を有する部材を用いるか、折り曲げられて対向する部材間にバネ等の弾性付与部材を介在させるか、又は結合若しくは連結された２つの部材間に同じくバネ等の適宜の弾性付与部材を介在させることによって、対向する前後一対の押圧部を、外部から力が掛からない無負荷状態で離隔位置又は近接位置に戻るように付勢することができる。前後一対の押圧部が無負荷状態で近接位置又は離隔位置に戻るように付勢されている場合には、本発明に係る釣り用錘取り付け具の使用時において、近接位置から離隔位置への移動、又は離隔位置から近接位置への移動のいずれか一方の場合にのみ、前後一対の押圧部を付勢されている弾性力に抗して移動させれば良く、本発明に係る釣り用錘取り付け具を用いた釣り用錘の取り付け作業がより単純化されるという利点が得られる。
【００１９】
なお、上記のとおり、棒状又は板状の１つの部材を長手方向略中央で折り曲げて両端部を対向させ、その両端部の対向する部分を前後一対の前記押圧部とするか、棒状又は板状の２つの部材を長手方向一端部で結合し、他方端部を対向させ、前記他方端部の対向する部分を前後一対の前記押圧部とするか、又は、棒状又は板状の２つの部材を回転自在に連結し、少なくともそれら２つの部材の一方の先端部同士を近接又は離隔自在に対向させ、その対向する先端部の対向する部分を前後一対の前記押圧部とするか、そのいずれの場合であっても、左右一対の前記保持部は、その対向する部分が前記押圧部となる前記両端部又は前記他方端部又は前記先端部の対向する前後いずれか一方に前記当接面を上方に向けて設けられているか、取り付けられている。
【００２０】
前記保持部が備えている当接面は当該当接面上に保持される釣り糸が前後方向に摺動することができる長さを有する当接面であるのが好ましい。前記当接面が、前記当接面上に保持される釣り糸が前後方向に摺動することができる長さを有する当接面である場合には、当接面に保持されている釣り糸は、錘を挟み込んだまま、前後一対の押圧部の移動に伴って、当接面上を移動することができ、近接位置へと移動する前後一対の押圧部によって、効率良く押圧され、潰されることが可能となる。
【００２１】
また、保持部が備えている当接面が当該当接面上に保持される釣り糸が前後方向に摺動することができる長さを有する当接面である場合、当該当接面の前方端及び／又は後方端に釣り糸の摺動を妨げる摺動阻止部を有しているのが好ましい。これにより、保持部に保持される釣り糸が、当接面を超えて摺動して当接面から外れ、保持部に保持されなくなることが防止される。なお、摺動阻止部としては、それよりも先に釣り糸が摺動するのを妨げることができる限りどのような構造、材質のものであっても良く、例えば、当接面の一部を上方に曲折させた部分、或いは当接面に設けられた凸部を摺動阻止部としても良い。
【００２２】
本発明に係る釣り用錘取り付け具において、左右一対の前記保持部は、その対向する部分が前記押圧部となる前記両端部又は前記他方端部又は前記先端部の対向する前後いずれか一方に前記当接面を上方に向けて設けられていても良いし、前記両端部又は前記他方端部又は前記先端部の対向する前後いずれか一方に着脱自在に取り付けられるものであっても良い。前記保持部が着脱自在に取り付けられるものである場合、前記保持部は、各々が釣り糸と当接する当接面を備えた左右一対の保持部と、当該保持部を、前記両端部又は前記他方端部又は前記先端部の対向する前後いずれか一方に前記当接面を上に向けて着脱自在に取り付ける取り付け部を備えている取付用保持部であるのが望ましく、前記取付用保持部は、釣り糸を一時固定する一時固定部を備えているのがより望ましい。このような取付用保持部によれば、例えば、既存のやっとこやラジオペンチなどの先端の一方に、前記取付用保持部を取り付けることによって、既存のやっとこやラジオペンチなどを本発明に係る釣り用錘取り付け具として使用することができるので、非常に便利である。
【００２３】
本発明に係る釣り用錘取り付け具において、釣り糸を一時固定する一時固定部は、釣り用錘取り付け具のどこに設けられていても良いが、その先端部分が前後一対の押圧部を構成する前記棒状又は板状部材のいずれか一方又は双方に設けられていると、保持部の当接面に釣り糸を当接させ、張力を掛けた状態で、一時固定部に釣り糸を挟持させることができるので便利である。
【００２４】
本発明に係る釣り用錘取り付け具は、その好適な他の一態様において、左右一対の前記保持部が、前後一対の前記押圧部とは別の部材に設けられており、前後一対の前記押圧部が、左右一対の前記保持部とは独立して近接位置と離隔位置の間で相対的に移動可能に支持されている。
【００２５】
前後一対の前記押圧部が、左右一対の前記保持部とは独立して近接位置と離間位置間で相対的に移動可能に支持されている場合には、前記保持部に保持されている釣り糸は移動させずに、前後一対の押圧部だけを相対的に近接させて、釣り糸を溝内に挟み込んでいる錘を押圧し、押し潰すことができる。このため、保持部に備えられている当接面は、当接面上に保持される釣り糸を前後方向に摺動することができる長さを有していなくても良いので、保持部の構造をより簡単、単純なものとすることができるとともに、保持部に保持されている釣り糸部分を対象とする錘の溝内に挿入する際にも、前後一対の押圧部が妨げとなることがより少ないという利点が得られる。
【００２６】
左右一対の前記保持部が、前後一対の前記押圧部とは別の部材に設けられている場合、前記保持部は、釣り糸を前記保持部に備えられている前記当接面へと導く導入路を備えており、前記一時固定部が前記導入路に形成されている狭隘部であるのが好ましい。
【００２７】
上記のように、保持部が前記導入路を備えており、釣り糸を一時固定する一時固定部が前記導入路に形成されている狭隘部である場合には、釣り糸を導入路に沿って当接面に当接させる操作によって、併せて、釣り糸を狭隘部で挟持して一時固定して、釣り糸を左右一対の保持部間に張力が掛かった状態で保持することができるので、極めて便利である。
【００２８】
なお、本発明の釣り用錘取り付け具は、どのような材質の材料で構成されていてもよく、例えば合成樹脂や、銅、アルミ、鉄、ステンレス等の金属で構成することもできるが、耐久性の観点からは金属、中でもステンレスで構成するのが望ましい。また、本発明の釣り用錘取り付け具は、釣りをする際にライフジャケット等に備えられたポケットに収納し、携帯できる程度に、小型であることが望ましい。さらに、釣りにおける携帯性・利便性を高めるため、ピンオンリールやリール式キーホルダーなどに連結する固定具を備えることもできる。
【発明の効果】
【００２９】
本発明に係る釣り用錘取り付け具は、左右一対の保持部間に釣り糸の対象部分を張架、保持し、その状態で取り付け対象となる錘の溝内に釣り糸を挿入し、前後一対の押圧部を近接させて錘を押圧、押し潰すという簡単な操作で、ガン玉のような極めて小径の錘であっても、錘を指先でつまむことなく、極めて簡単、容易に釣り糸の所望の位置に取り付けることができるという利点を備えている。このため、本発明に係る釣り用錘取り付け具によれば、潮位、風、波、流れ等が時々刻々と変化する釣りの現場において、その都度、最適な大きさの錘を釣り糸の所望の位置に必要な数だけ取り付けることが可能となり、迅速、かつ的確な釣りを実行することができるという利点が得られる。また、本発明に係る釣り用錘取り付け具は、構造が簡単で、小型化に適しており、携行性に優れているという利点を有している。
【図面の簡単な説明】
【００３０】
【図１】本発明に係る釣り用錘取り付け具の一例を示す斜視図である。
【図２】図１の上部部分の部分拡大図である。
【図３】図１の拡大平面図である。
【図４】本発明に係る釣り用錘取り付け具の使い方を説明するための図である。
【図５】本発明に係る釣り用錘取り付け具の使い方を説明するための図である。
【図６】本発明に係る釣り用錘取り付け具の使い方を説明するための図である。
【図７】本発明に係る釣り用錘取り付け具の使い方を説明するための図である。
【図８】本発明に係る釣り用錘取り付け具の使い方を説明するための図である。
【図９】本発明に係る釣り用錘取り付け具の他の一例を示す斜視図である。
【図１０】本発明に係る釣り用錘取り付け具の更に他の一例を示す斜視図である。
【図１１】本発明に係る釣り用錘取り付け具の更に他の一例を示す斜視図である。
【図１２】本発明に係る釣り用錘取り付け具の更に他の一例を示す斜視図である。
【図１３】本発明に係る釣り用錘取り付け具の更に他の一例を示す斜視図である。
【図１４】図１３の部分拡大図である。
【図１５】図１４における保持部２ａの上部部分の左側面の拡大図である。
【図１６】保持部に釣り糸が保持、一時固定される過程を説明するための図である。
【図１７】保持部に設けられる導入路の他の一例を示す断面図である。
【図１８】本発明に係る釣り用錘取り付け具の更に他の例を示す斜視図である。
【発明を実施するための形態】
【００３１】
以下、図面を用いて本発明を詳細に説明するが、本発明が図示のものに限られないことは勿論である。
【００３２】
図１は、本発明に係る釣り用錘取り付け具の一例を示す斜視図である。図１において、１は釣り用錘取り付け具であり、２ａ、２ｂは、釣り用錘取り付け具１を構成する左右一対の保持部、３ａ、３ｂは同じく前後一対の押圧部である。４は弾性を有する板状部材であり、板状部材４は、その略中央で略１８０度折り曲げられ、前方板４ａと、後方板４ｂを形成している。５は前方板４ａに取り付けられている舌片であり、前方板４ａとの間に漸次狭くなる狭隘部αを有しており、舌片５と前方板４ａとで一時固定部を構成している。
【００３３】
図２は、図１の上部部分の部分拡大図であり、左右一対の保持部２ａ、２ｂと、前後一対の押圧部３ａ、３ｂの部分だけを拡大して示す図である。
【００３４】
図１及び図２に示すとおり、本例の場合、左右一対の保持部２ａ、２ｂは、後方板４ｂの上端から前方に突き出た互いに平行な２つの凸片で構成されており、保持部２ａ、２ｂのそれぞれの上面には当接面６ａ、６ｂが設けられている。７ａ、７ｂは、それぞれ当接面６ａ及び６ｂの前方端に設けられた摺動阻止部である。本例において、摺動阻止部７ａ及び７ｂは、それぞれ当接面６ａ及び６ｂの前方端を上方に曲折させた部分で構成されている。なお、保持部２ａと保持部２ｂとは、通常、同じ材料を用いて、同形、同大に形成される。また、当接面６ａ、６ｂの左右側方の角部には丸みを設け、当接する釣り糸に与えるストレスを緩和するようにしても良い。
【００３５】
図２中、βは後方板４ｂの前面と保持部２ａの当接面６ａとが為す角度であり、角度βは、通常、９０度未満に選ばれる。これにより、当接面６ａは後方板４ｂから前下がりに突出することになり、その先端部には、当接面６ａを上方に曲折させた摺動阻止部７ａが設けられているので、当接面６ａには、当接面６ａが最も下方に位置することになる基底部６ａ−ｂが存在することになる。保持部２ｂに設けられている当接面６ｂについても同様であり、当接面６ｂにも基底部６ｂ−ｂが存在することになるので、後述するとおり、当接面６ａ、６ｂ上に釣り糸を当接させて若干の張力を加えると、釣り糸は前下がりになっている当接面６ａ、６ｂ上を基底部６ａ−ｂ、６ｂ−ｂの位置まで摺動又は転動し、その位置で安定的に保持されることになる。なお、角度βは、余りに小さすぎると、押圧部３ａ、３ｂを相対的に近接位置へと移動させるときに釣り糸の当接面６ａ、６ｂ上での移動が難しくなるので、４５度以上であるのが好ましく、６０度以上であるのがより好ましい。
【００３６】
なお、本例において保持部２ａ、２ｂは、後方板４ｂの上端から前方に突き出た互いに平行な２つの凸片で構成されているが、後方板４ｂの上端若しくは上端近傍から前方に突き出た互いに平行な２本の断面円形若しくは楕円形などの棒状部材で構成されていても良い。
【００３７】
一方、前方に位置する押圧部３ａは、前方板４ａの上端部を後方に向かって曲折させた嘴状部分の先端部で構成されており、後方に位置する押圧部３ｂは、後方板４ｂの保持部２ａ、２ｂ間に位置する部分で構成されている。上述したとおり、板状部材４は弾性のある板状部材であり、それを略中央で略１８０度折り曲げて前方板４ａと後方板４ｂとが形成されているので、互いに対向する板状部材４の両端部が前方板４ａの先端部と後方板４ｂの先端部となり、互いに対向する板状部材４の両端部が前後一対の押圧部３ａ、３ｂを構成することになる。
【００３８】
８ｂは、後方の押圧部３ｂの表面に設けられた滑り止めである。滑り止め８ｂは、必ずしも設けなければならないものではないが、後述するとおり、押圧部３ａと３ｂとを相対的に近接位置へと移動させて、両押圧部間に錘を挟み込んだとき、滑り止め８ｂがあると、錘が押圧部３ｂ上で滑るのが防止され、錘を確実に押し潰すことができるので、滑り止め８ｂは設けておくのが好ましい。なお、押圧部３ｂ上で錘が滑るのを防止することができる限り、滑り止め８ｂの具体的形状、構造には特段の制限はなく、例えば、押圧部３ｂの表面に線状の溝を複数本形成することによって滑り止め８ｂとしても良いし、微少な凹凸を押圧部３ｂの表面に形成することによって滑り止め８ｂとしても良い。或いは、比較的に摩擦係数の大きな合成樹脂製のテープを貼着しても良いし、鉄粉等を接着剤によって付着させても良い。なお、同様の滑り止め８ａを前方の押圧部３ａの表面に設けても良いことは勿論である。
【００３９】
図１は、前後一対の押圧部３ａと３ｂとが、互いに離隔した離隔位置にある状態を示しており、この状態で前方板４ａ及び／又は後方板４ｂに前後方向の外力を加えると、板状部材４の弾性に抗して、前方板４ａと後方板４ｂとは互いにその先端部が接近する方向に移動し、前後一対の押圧部３ａと３ｂとを互いに近接した近接位置へと移動させることができる
【００４０】
なお、本明細書において、釣り用錘取り付け具１の左右、前後とは、それぞれ図１に矢印で示すとおり、前方板４ａの正面から見たときの左右、前後をいうものであり、上下とは、同じく図１に矢印で示すとおり、左右一対の保持部２ａ、２ｂ、及び前後一対の押圧部３ａ、３ｂが設けられている側を上、その反対側を下というものとする。
【００４１】
図３は、図１に示した釣り用錘取り付け具１の拡大平面図であり、図１と同じ部材には同じ符号を付してある。図３に示すとおり、互いに対向し、離隔位置にある前後一対の押圧部３ａ、３ｂ間の距離Ｄは、互いに平行で左右一対の保持部２ａ、２ｂの内側間の距離Ｗと同じか距離Ｗよりも大きく、Ｄ≧Ｗの関係にある。Ｄ＞Ｗの関係にあるのがより好ましい。このように、離隔位置にある前後一対の押圧部３ａ、３ｂ間の距離Ｄが、左右一対の保持部２ａ、２ｂの内側間の距離Ｗと同じか、Ｗよりも大きく設定することにより、前後一対の押圧部３ａ、３ｂの存在に妨げられることなく、保持部２ａ、２ｂ間に張架されている釣り糸を取り付け対象とする錘の溝内に挿入することができる。
【００４２】
次に、図４〜図８を用いて本発明に係る釣り用錘取り付け具１の使い方を説明する。なお、図中、Ｔは釣り糸、ｇは錘、ｖは錘ｇに設けられている溝（切れ込み）、Ｆは外力を表している。
【００４３】
本発明に係る釣り用錘取り付け具１を使用するには、まず、図４に示すとおり、釣り糸Ｔの錘を取り付けたい箇所が保持部２ａ、２ｂの間に位置するように、釣り糸Ｔを当接面６ａ、６ｂに当接させる。次に図５に示すように、釣り糸Ｔに下向の外力Ｆを加えると、釣り糸Ｔは当接面６ａ及び６ｂ上を摺動又は転動し、基底部６ａ−ｂ、６ｂ−ｂの位置まで移動し、その位置で張力が掛かった状態で保持される。
【００４４】
次に、図６に示すように、釣り糸Ｔの両側部を束ねて、前方板４ａと舌片５の間に形成されている狭隘部αに挿入した状態で、釣り糸Ｔに上向の外力Ｆを加えて、釣り糸Ｔの両側部を狭隘部αに挟持させ、前方板４ａと舌片５とで構成される一時固定部に釣り糸Ｔを一時固定する。これにより、釣り糸Ｔは、若干の張力が加えられた状態で、左右一対の保持部２ａ、２ｂ間に張架されることになる。
【００４５】
次に、図７に示すように、釣り用錘取り付け具１の向きを上下反対にして、保持部２ａ、２ｂ間に保持されている釣り糸Ｔの部分が下を向くように位置させる。この状態で、釣り用錘取り付け具１を、例えば、図示しない錘ケース中に保管されている錘ｇの上方へと移動させ、保持部２ａ、２ｂ間に保持されている釣り糸Ｔの部分を錘ｇの溝ｖと対向させ、保持部２ａ、２ｂ間に保持されている釣り糸Ｔを錘ｇの溝ｖ内に挿入する。なお、錘ケース内の錘ｇの溝が上を向いていないときには、錘ケースに適宜振動を与えるか、錘ｇを指で転がして、溝ｖが上を向くようにすれば良い。
【００４６】
図８は、このようにして、錘ｇの溝ｖ内に保持部２ａ、２ｂ間に保持されている釣り糸Ｔの部分が挿入された状態を示している。釣り糸Ｔに錘ｇを取り付けるには、図８に示す状態から、前方板４ａ及び／又は後方板４ｂに外力を加え、押圧部３ａと３ｂとを、両者が互いに近接する近接位置へと移動させれば良い。近接位置への移動の途中で、前方押圧部３ａは錘ｇに当接し、そのまま錘ｇを押しながらさらに近接位置へと移動するので、錘ｇの溝ｖ内に挟み込まれている釣り糸Ｔは、当接面６ａ、６ｂ上を摺動する。このように、本例の釣り用錘取り付け具１においては、当接面６ａ、６ｂが、当接面上に保持される釣り糸が前後方向に摺動することができる長さを有しているので、前後一対の押圧部３ａ、３ｂを離隔位置から近接位置へと相対的に移動させるに際しても、錘ｇを押しながらスムースに移動することができる。押圧部３ａと３ｂとの間で、錘ｇを押し潰し、溝ｖを閉止して、釣り糸Ｔの一部を溝ｖ内に挟み込むことによって、錘ｇを釣り糸Ｔに取り付けることができる。
【００４７】
上記のとおり、本発明に係る釣り用錘取り付け具１によれば、左右一対の保持部２ａ、２ｂ間に釣り糸Ｔを張架し、その張架された部分の釣り糸Ｔを、錘ｇの溝ｖ内に挿入して、前後一対の押圧部３ａ、３ｂ間で錘ｇを押し潰せば良く、錘ｇを指でつまんだり、特殊な装置内に装填したりすることなく、錘ケースなどに収納されている状態のまま、錘ｇを釣り糸Ｔの所望の部分に取り付けることができる。
【００４８】
図９は、本発明に係る釣り用錘取り付け具の他の例を示す斜視図であり、図１におけると同じ部材には同じ符号を付してある。図９に示した釣り用錘取り付け具１においては、その先端部の対向する部分が前後一対の押圧部３ａ、３ｂを構成している前方板４ａ及び後方板４ｂが、一枚の板状部材を折り曲げたものではなく、それぞれの下端部が結合部９で結合された２枚の弾性の板状部材４ａ、４ｂで構成されている点が、図１に示した釣り用錘取り付け具１とは異なっている。このように２枚の板状部材４ａ、４ｂをその長手方向の一端部で結合し、他方端部を対向させて、その対向させた部分を前後一対の押圧部３ａ、３ｂとすることもできる。
【００４９】
本例の場合、図９に示す状態が、前後一対の押圧部３ａと３ｂとが互いに離隔した離隔位置にある状態であり、この位置から、前方板４ａ及び／又は後方板４ｂに外力を加えることによって、前後一対の押圧部３ａと３ｂを互いに近接した近接位置へと移動させることができる。前方板４ａ及び後方板４ｂは弾性部材で構成されているので、外力を取り除くと、前方板４ａ及び後方板４ｂは、自身の弾性によって、図９に示す離隔位置へと復帰する。図９に示す釣り用錘取り付け具１の使い方は、図１に示したものと同じである。
【００５０】
図１０は、本発明に係る釣り用錘取り付け具の更に他の例を示す斜視図であり、図１におけると同じ部材には同じ符号を付してある。図１０に示した釣り用錘取り付け具１は、いわばラジオペンチ型であり、前方板４ａと後方板４ｂとが、ラジオペンチの先端部と同様に、回転軸１０によって、図中矢印で示すように互いに回転自在に連結され、かつ、前方板４ａ及び後方板４ｂの他方端が回転軸１０を挟んだ反対側にまで延在し、それぞれ掴み部１１ａ、１１ｂを形成している点が、図１に示した釣り用錘取り付け具１とは異なっている。本例の場合、掴み部１１ａ、１１ｂを操作することによって、前後一対の押圧部３ａ及び３ｂを離隔位置と近接位置との間で移動させるので、前方板４ａ及び後方板４ｂは弾性部材で構成されている必要はなく、剛性の大きな材料で構成されていても良い。また、図１０に示す釣り用錘取り付け具１においては、滑り止め８ａが前方押圧部３ａの側に設けられている。同様の滑り止め８ｂを後方押圧部３ｂに設けても良いことは勿論である。
【００５１】
図１１は、本発明に係る釣り用錘取り付け具の更に他の例を示す斜視図であり、図１におけると同じ部材には同じ符号を付してある。図１１に示した釣り用錘取り付け具１は、いわばハサミ型であり、前方板４ａと後方板４ｂとが、ハサミの先端部と同様に、回転軸１０によって回転自在に連結され、かつ、前方板４ａ及び後方板４ｂの他方端が回転軸１０を挟んだ反対側にまで延在し、それぞれ掴み部１１ａ、１１ｂを形成している。後方板４ｂは、板状部材の両側部が前方板４ａの両側で前方に向かって一部折り曲げられており、前方板４ａを両側から挟み込む形状を有している。前方板４ａの上端部分に前部の押圧部４ａが形成され、後方板４ｂの上端部に後部の押圧部４ｂが形成されている点は、これまでのものと同じである。本例の釣り用錘取り付け具１は、掴み部１１ａ、１１ｂに指を通して把持することができるため、錘の取り付け作業中にも釣り用錘取り付け具１を安定的に把持できるという利点を備えており、釣り用錘取り付け具１を落下させる恐れもなく、優れた操作性並びに取扱い性を備えるものである。
【００５２】
図１２は、本発明に係る釣り用錘取り付け具の更に他の例を示す斜視図である。図１２において、前方板４ａと後方板４ｂとは、バネ１２を介して、互いに連結されており、外力がない状態では、図１２に示すとおり、前後一対の押圧部３ａと３ｂとは、互いに密着した近接位置にある。この状態から図中矢印で示す外力Ｆを加えると、前方板４ａと後方板４ｂの下端部は、バネ１２の弾性に抗して互いに接近し、その結果、前方板４ａと後方板４ｂの上端部に位置する押圧部３ａと３ｂとは互いに離隔し、離隔位置へと移動する。
【００５３】
このように、本例における釣り用錘取り付け具１は、外力が加わらない状態では前後一対の押圧部３ａ、３ｂが近接位置にあり、外力を加えることによって互いに離隔した離隔位置へと相対的に移動する点が、これまでに示した例における釣り用錘取り付け具とは異なっている。
【００５４】
図１３は、本発明に係る釣り用錘取り付け具の更に他の例を示す斜視図である。図１３において、１３は中間板であり、中間板１３の先端部には左右一対の保持部２ａ、２ｂが設けられている。前方板４ａと後方板４ｂとは、中間板１３を中央に挟んで、それぞれの下端部が、中間板１３の下端部を含め、結合部９で互いに結合されている。本例の釣り用錘取り付け具１においては、左右一対の保持部２ａ、２ｂが、前後一対の押圧部３ａ及び３ｂが設けられている前方板４ａ及び後方板４ｂとは別の部材である中間板１３に設けられているので、前後一対の押圧部３ａと３ｂは、左右一対の保持部２ａ及び２ｂとは独立して近接位置と離隔位置の間で相対的に移動可能である。このため、本例の釣り用錘取り付け具１においては、保持部２ａ、２ｂに保持されている釣り糸Ｔを当接面６ａ、６ｂ上で摺動させることなく、前後一対の押圧部３ａと３ｂを近接位置へと移動させ、釣り糸を挟み込んだ錘の溝を押し潰し、釣り糸に錘を取り付けることができる。
【００５５】
図１４は、図１３における左右一対の保持部２ａ、２ｂの部分だけを取り出して示す部分拡大図であり、更に、図１４における保持部２ａの上部部分の左側面を拡大して示したものが図１５である。図１４及び図１５に示すとおり、保持部２ａは、上方に向かって拡開した前後一対の拡開面１４ａ、１４ａと、その下に続く前後一対の挟持面１５ａ、１５ａと、挟持面１５ａ、１５ａの底部に位置する当接面６ａとを有しており、拡開面１４ａ、１４ａと、それに連続する挟持面１５ａ、１５ａとが、釣り糸Ｔを当接面６ａへと導く導入路１６ａを構成している。挟持面１５ａ、１５ａの間隔は、想定される釣り糸Ｔの径よりもやや小さく設定されており、挟持面１５ａ、１５ａで挟まれた箇所が導入路１６ａに形成された狭隘部γａとして機能する。保持部２ｂについても同様であり、拡開面１４ｂ、１４ｂと、それに連続する狭持面１５ｂ、１５ｂとが、釣り糸Ｔを当接面６ｂへと導く導入路１６ｂを構成し、狭持面１５ｂ、１５ｂで挟まれた箇所が導入路１６ｂに形成された狭隘部γｂとして機能する。
【００５６】
保持部２ａ、２ｂがこのように構成されているので、使用に際しては、図１６（便宜上、保持部２ａの部分だけを示してある）に示すとおり、釣り糸Ｔを導入路１６ａ、及び１６ｂ内に挿入し、そのまま押し下げて当接面６ａ、６ｂと当接させれば良い。当接面６ａ、６ｂの上方には挟持面１５ａ、１５ａ、及び１５ｂ、１５ｂで構成される狭隘部γａ、γｂが設けられているので、当接面６ａ、６ｂと当接した釣り糸Ｔは、狭隘部γａ、γｂにおいて挟持面１５ａ、１５ａ又は１５ｂ、１５ｂに挟持されて一時固定され、張力が掛かった状態で、保持部２ａ、２ｂ間に保持されることになる。
【００５７】
このように、本例の釣り用錘取り付け具１においては、保持部２ａ、２ｂが当接面６ａ、６ｂに加えて、導入路１６ａ、１６ｂと、導入路１６ａ、１６ｂに形成されている狭隘部γａ、γｂを備えており、この狭隘部γａ、γｂが釣り糸を一時固定する一時固定部として機能するので、釣り糸を保持部２ａ、２ｂ間に保持させた後、さらに釣り糸を緊張状態に保ったまま、一時固定部に導いて一時固定する必要がなく、釣り糸を当接面６ａ、６ｂに当接させる一つの操作によって、釣り糸を、保持部２ａ、２ｂ間に保持させるとともに、張力が掛かった状態に一時固定することができるという極めて優れた利点が得られる。
【００５８】
さらに、本例の釣り用錘取り付け具１においては、導入路は、上方に向かって拡開するように傾斜してなる拡開面１４ａ、１４ａ及び拡開面１４ｂ、１４ｂを有しているため、導入路１６ａ、１６ｂに釣り糸Ｔを容易に挿入することができるという利点が得られる。しかしながら、導入路１６ａ、１６ｂは、必ずしも図１４乃至図１６に図示したものに限られないことは勿論であり、例えば、図１７のように、拡開面１４ａ、１４ａ及び拡開面１４ｂ、１４ｂが存在せず、挟持面１５ａ、１５ａ及び挟持面１５ｂ、１５ｂだけから構成される導入路１６ａ、１６ｂであっても良い。なお、図１７には、便宜上、保持部２ａの部分だけを示してあるが、保持部２ｂについても同様である。
【００５９】
なお、図１３に示した例においては、左右一対の保持部２ａ、２ｂを設けた中間板１３を、前方板４ａ及び後方板４ｂとは別に設け、それらを互いに独立して移動可能に結合したが、これに代えて、例えば、前方板４ａ及び後方板４ｂを、これらとは別の独立した回転軸の回りに回転自在に取り付けて、少なくとも前方板４ａ及び後方板４ｂの一方端同士が近接又は離隔するように前記回転軸によって支承するとともに、前記独立した回転軸に、当接面を備えた左右一対の保持部２ａ、２ｂを当接面６ａ、６ｂを上方に向けて取り付けるようにしても良い。また、上記の例では、導入路に狭隘部を設け、当該狭隘部を釣り糸を一時固定する一時固定部としたが、これに代えて、図１に示した例等に示した一時固定部を別途設けても良いことは勿論である。
【００６０】
さらに、以上の例においては、板状部材４、前方板４ａ、後方板４ｂは全て板状の部材であるが、板状の部材に代えて、棒状の部材を用いても良いことはいうまでもない。
【００６１】
図１８は、本発明に係る釣り用錘取り付け具の更に他の例を示す斜視図である。図１８において、１７はラジオペンチ、１８は取付用保持部、Ｓは取付用保持部１８の下端部に開口する取付用空間、１９は取付用一時固定部、２０は一時固定部１９に形成されている取付用空洞である。５は先に述べたのと同じく舌片、αは狭隘部であり、図示しない釣り糸Ｔをこの狭隘部αに挟み込むことによって一時固定することができる。
【００６２】
図１８に示すとおり、本例においては、左右一対の保持部２ａ、２ｂは、後方板４ｂに直接設けられておらず、後方板４ｂに着脱自在の独立した取付用保持部１８として構成されている。また、釣り糸を一時固定する一時固定部も、前方板４ａに相当するラジオペンチ１７の一方の先端部には設けられておらず、独立した別個の取付用一時固定部１９として構成されている。
【００６３】
使用に際しては、この取付用保持部１８の下端部に開口した取付用空間Ｓ内に、ラジオペンチ１７の一方の先端部を挿入し、取付用保持部１８をラジオペンチ１７に取り付けるとともに、取付用一時固定部１９を、その取付用空洞部２０内に、例えば、掴み部１１ｂを挿入し、掴み部１１ｂに取り付ければ良い。これにより、通常のラジオペンチ１７を本発明に係る釣り用錘取り付け具１として使用することができる。
【００６４】
なお、取付用一時固定部１９を、取付用保持部１８と別体に構成する代わりに、取付用保持部１８に一時固定部を直接取り付けるか設けるようにしても良い。また、ラジオペンチ１７に代えて、やっとこその他の互いに近接位置と離隔位置との間で相対的に移動可能な一対の先端部を備えた道具の、いずれか一方の先端部に取付用保持部１８を着脱自在に取り付けるようにしても良い。本発明に係る釣り用錘取り付け具１における左右一対の保持部２ａ、２ｂを本例におけるように着脱自在の取付用保持部１８として構成する場合には、既存のラジオペンチや、やっとこ、ペンチ等を、必要に応じて、適宜、本発明に係る釣り用錘取り付け具として利用することができるので、極めて便利である。
【産業上の利用可能性】
【００６５】
本発明に係る釣り用錘取り付け具は、ガン玉のような小径の錘であっても、錘を指先でつまむことなく、極めて簡単、容易に釣り糸の所望の位置に取り付けることができる上に、構造が簡単で、小型化に適しており、携行性に優れているものである。このため、本発明に係る釣り用錘取り付け具によれば、潮位、風、波、流れ等が時々刻々と変化する釣りの現場において、その都度、最適な大きさの錘を釣り糸の所望の位置に必要な数だけ取り付けることが可能となり、迅速、かつ的確な釣りを実行することができるという優れた産業上の利用可能性を備えたものである。
【符号の説明】
【００６６】
１：                釣り用錘取り付け具
２ａ、２ｂ：        保持部
３ａ、３ｂ：        押圧部
４：                板状部材
４ａ：              前方板
４ｂ：              後方板
５：                舌片
６ａ、６ｂ：        当接面
６ａ−ｂ、６ｂ−ｂ：基底部
７ａ、７ｂ：        摺動阻止部
８ａ、８ｂ：        滑り止め
９：                結合部
１０：              回転軸
１１ａ、１１ｂ：    掴み部
１２：              バネ
１３：              中間板
１４ａ、１４ｂ：    拡開面
１５ａ、１５ｂ：    挟持面
１６ａ、１６ｂ：    導入路
１７：              ラジオペンチ
１８：              取付用保持部
１９：              取付用一時固定部
２０：              取付用空洞部
α、γ：            狭隘部
β：                角度
Ｄ：                一対の押圧部間の距離
Ｆ：                外力
Ｓ：                取付用空間
Ｔ：                釣り糸
Ｗ：                一対の保持部の内側間の距離
ｇ：                錘
ｖ：                溝
【図１】
2020188730.tif 000003
【図２】
2020188730.tif 000004
【図３】
2020188730.tif 000005
【図４】
2020188730.tif 000006
【図５】
2020188730.tif 000007
【図６】
2020188730.tif 000008
【図７】
2020188730.tif 000009
【図８】
2020188730.tif 000010
【図９】
2020188730.tif 000011
【図１０】
2020188730.tif 000012
【図１１】
2020188730.tif 000013
【図１２】
2020188730.tif 000014
【図１３】
2020188730.tif 000015
【図１４】
2020188730.tif 000016
【図１５】
2020188730.tif 000017
【図１６】
2020188730.tif 000018
【図１７】
2020188730.tif 000019
【図１８】
2020188730.tif 000020